(57)【要約】【課題】  日常生活に密着した有用な省エネ術等のアイデアを募集し、また、応募されたアイデアを分かりやすい形で広く一般に公開する。【解決手段】  登録会員（１２）が管理サーバにアイデア（Ｉ）を送信し、管理サーバがそのアイデアを専門家に転送し、専門家がそのアイデアが有効かつ未登録のものであるか否かを判断して、有効かつ未登録である場合にはそのアイデアに対して評価点（Ｐ）を付与した上で、そのアイデアおよび評価点を管理サーバに送信し、管理サーバが受信したアイデアをデータベースに登録するとともに該アイデアを通信ネットワーク回線を通じて一般需要家（２８）に公表する。アイデアを応募した登録会員には評価点に応じたポイント（ｐ）が付与され、登録会員は付与されたポイントを商品や各種サービスと交換する。【選択図】  図１
2006113702.tif 000002
【特許請求の範囲】
【請求項１】
登録会員（１２）が通信端末（１４）を用いて通信ネットワーク回線（１６）を介して管理センタ（１８）の管理サーバ（２２）にログインするログイン段階（Ｓ１）と、
前記管理サーバが登録会員を特定し、省エネ等に関するアイデア（Ｉ）を入力するための画面を前記登録会員の通信端末に表示する入力画面送信段階（Ｓ２）と、
前記登録会員が表示された画面上に考案したアイデアを入力して管理サーバに送信するアイデア応募段階（Ｓ３）と、
前記管理サーバが受信したアイデアを専門家（２４）の通信端末（１４’）に転送するアイデア転送段階（Ｓ４）と、
該専門家がそのアイデアが有効かつ未登録のものであるか否かを判断し、有効かつ未登録である場合にはそのアイデアに対して評価点（Ｐ）を付与した上で、そのアイデアおよび評価点を管理サーバに送信するアイデア評価段階（Ｓ５）と、
前記管理サーバが受信したアイデアをデータベースに登録するとともに該アイデアを通信ネットワーク回線を通じて一般需要家（２８）に公表するアイデア登録・公表段階（Ｓ６）と、
アイデアを応募した登録会員に評価点に応じたポイント（ｐ）を付与するポイント付与段階（Ｓ８）と、
登録会員が付与されたポイントを商品や各種サービスと交換するポイント利用段階（Ｓ１０）と、を備えたことを特徴とするアイデアの公募方法。
【請求項２】
前記アイデア評価段階（Ｓ５）では、応募されたアイデア（Ｉ）に対して専門家（２４）によるコメント（ｃ）がさらになされ、
前記アイデア登録・公表段階（Ｓ６）では、前記管理サーバ（２２）が該コメントをデータベースに登録するとともに該コメントを応募されたアイデアとともに公表する、ことを特徴とする請求項１に記載のアイデアの公募方法。
【請求項３】
公表されたアイデア（Ｉ）を参照した一般需要家（２８）が該アイデアに投票を行う投票段階（Ｓ７）をさらに含み、
前記ポイント付与段階（Ｓ８）では、アイデアを応募した登録会員（１２）に投票数に応じたポイント（ｐ）が加算される、ことを特徴とする請求項１又は２に記載のアイデアの公募方法。
【請求項４】
前記アイデア登録・公表段階（Ｓ６）で一般需要家（２８）に公表されるアイデア（Ｉ）には、専門家（２４）による評価点（Ｐ）および／または一般需要家による投票数が参照可能に付記される、ことを特徴とする請求項２に記載のアイデアの公募方法。
【請求項５】
前記アイデア評価段階（Ｓ５）でのアイデア（Ｉ）に対する評価点（Ｐ）の付与は複数人の専門家（２４）によって行われ、前記ポイント付与段階（Ｓ８）で登録会員（１２）に与えられるポイント（ｐ）は評価点に応じたポイントの平均点とする、ことを特徴とする請求項１乃至４のいずれか１項に記載のアイデアの公募方法。
【請求項６】
応募されたアイデア（Ｉ）に評価点（Ｐ）を付与した専門家（２４）にポイント（ｐ）を付与する評価報奨段階（Ｓ９）をさらに含む、ことを特徴とする請求項１乃至５のいずれか１項に記載のアイデアの公募方法。
【請求項７】
前記アイデア評価段階（Ｓ５）では、専門家（２４）がアイデア（Ｉ）をカテゴリに分類し、
前記アイデア登録・公表段階（Ｓ６）では、前記管理サーバ（２２）は分類されたアイデアをカテゴリごとに登録・公表する、ことを特徴とする請求項１乃至６のいずれか１項に記載のアイデアの公募方法。
【請求項８】
前記アイデア評価段階（Ｓ５）でのアイデア（Ｉ）のカテゴリの分類が複数人の専門家（２４）によって行われる場合であって、そのアイデアのカテゴリ分類が一致しない場合に、前記管理サーバ（２２）は、前記評価奨励段階（Ｓ９）で獲得したポイントの高い専門家の分類に従って前記アイデア登録・公表段階（Ｓ６）のアイデアの登録・公表を行う、ことを特徴とする請求項７に記載のアイデアの公募方法。
【発明の詳細な説明】
【技術分野】
【０００１】
本発明は有用なアイデアの公募方法に関し、特に、家庭で使用される電力、ガス等のエネルギの消費量を低減（省エネ）することを目的としたアイデアの公募方法に関する。
【背景技術】
【０００２】
現在、地球温暖化などの環境問題が深刻化しており、環境負荷を軽減するための省エネの促進が切望されている。電力会社としても，省エネ推進に一定の役割を担うものである。
ここで一般家庭の需要家（以下単に「一般需要家」という。）に省エネ意識をもってもらい、省エネのための行動を実行してもらうためには、どのようにすれば省エネが図れるかという情報を充実させ、これを分かり易い形で一般需要家に提供することが必要となる。
【０００３】
本願出願人である電力会社では、インターネットのホームページや印刷物に加え、「ホームコンサルタント」と呼ばれるエネルギ消費生活に関する専門家によって省エネ等に向けた啓発活動を行っている。ホームコンサルタントは家庭におけるエネルギ（主として電気）の効率的な利用方法や暮らしに密着したエネルギ知識に精通した社外の委託者（主に主婦）であり、中国地域各地において約１５０名が活動している。ホームコンサルタントはこれらの知識をもとに、需要家と幅広く「省エネ＝節約」に関する情報交換を行う仕組みの中核を担っている。
【０００４】
ホームコンサルタントの主な具体的業務は、（ａ）電気クッキングヒーターの上手な使い方をはじめ、電気給湯機・電化住宅に関することや一般需要家のライフスタイルに合った最適な料金メニューの紹介、電気の上手な使い方、光熱費シミュレーション、省エネルギに関すること等を需要家と直接対話しながら分かりやすく説明したり、（ｂ）需要家に電気クッキングヒーターを実際に使用してもらいながら、火力の強さや油温設定・タイマー設定など便利な機能の使い方・お手入れ方法などを分かりやすく説明する電化キッチン体験教室を開催したり、（ｃ）各種展示会やイベント会場において、電気クッキングヒーターを使用した料理実演を行い、来場した一般需要家へ電気クッキングヒーターの上手な使い方を説明したりすることなどがある。
ここで、ホームコンサルタントは家庭の主婦に近い存在でありまた地域ごとに存在しているため、実際に一般需要家宅を訪問することも可能で、一般需要家の要望に応じた各種情報の提供を行うことができる個別対応性および機動性を有している。
【０００５】
以上説明したように本願出願人の電力会社は、インターネットのホームページや印刷物およびホームコンサルタントによって、（１）推奨する高効率機器（電化住宅、電気給湯機、電気クッキングヒーター等）の提案、（２）電気の効率的な利用方法の提案、（３）暮らしに密着した電気知識の提供、等によって省エネの促進を図ろうとしている。
【０００６】
しかしながらインターネットのホームページや印刷物による省エネ等の啓発活動では、省エネに関する情報は需要家に対して一方通行で提供されるだけであった。そのため電力会社は需要家からの省エネに関するアイデア（省エネ術等）を募集することができず、一般需要家が考案した日常生活に密着した有用なアイデアがあったとしてもこれが公開されることはほとんどなかった。
一方、ホームコンサルタントは対面方式の聞き取りにより需要家からアイデアを収集することができるものの、ホームコンサルタントが対応できる需要家の人数には限界があった。またホームコンサルタントによる聞き取りによる場合にも、需要家が考案した省エネ術等のアイデアを広く一般に公開することに対するインセンティブが不十分であったため、需要家から積極的に省エネ術等のアイデアが提案されることは稀であった。
【０００７】
これまでも特許文献1の「通信ネットワークを利用した会員参加型ポイント譲渡システムと方法」などの募集方法が発案されているが、この発明は良質の作品を募集してホームページに掲載するために、出品された作品を評価側会員が良質なものと評価した場合に自己が有するポイントから任意のポイントを前記作品出品側会員へ譲渡するもので、良質の作品の公開によりホームページに多数の訪問客を訪問させることを目的とするものである。
【特許文献１】特開２００２−１０９４３０号公報
【発明の開示】
【発明が解決しようとする課題】
【０００８】
上記特許文献1に記載の発明は、広く一般から優れた作品を募集可能である点では優れているが、作品の評価を行う評価側会員の評価に統一性がなく、そのため評価が不公正になることがあるといった問題があった。
【０００９】
本発明は上記問題点を解決するためになされたもので、応募された省エネ術等のアイデアに対してその分野（エネルギ消費生活分野）の専門家（ホームコンサルタント）が公平な１次的評価を行うとともに、アイデアを応募した者（登録会員）に対してインセンティブを提供することで、登録会員から日常生活に密着した有用な省エネ術等のアイデアを収集し、また、１次的評価が行われたアイデアを分かりやすい形で広く一般に公開することでアイデアを参考とした多くの需要家の活動（省エネ活動等）を促すことを目的とする。
【課題を解決するための手段】
【００１０】
上記目的を達成するため請求項１に記載のアイデアの公募方法は、登録会員（１２）が通信端末（１４）を用いて通信ネットワーク回線（１６）を介して管理センタ（１８）の管理サーバ（２２）にログインするログイン段階（Ｓ１）と、前記管理サーバが登録会員を特定し、省エネ等に関するアイデア（Ｉ）を入力するための画面を前記登録会員の通信端末に表示する入力画面送信段階（Ｓ２）と、前記登録会員が表示された画面上に考案したアイデアを入力して管理サーバに送信するアイデア応募段階（Ｓ３）と、前記管理サーバが受信したアイデアを専門家（２４）の通信端末（１４’）に転送するアイデア転送段階（Ｓ４）と、該専門家がそのアイデアが有効かつ未登録のものであるか否かを判断し、有効かつ未登録である場合にはそのアイデアに対して評価点（Ｐ）を付与した上で、そのアイデアおよび評価点を管理サーバに送信するアイデア評価段階（Ｓ５）と、前記管理サーバが受信したアイデアをデータベースに登録するとともに該アイデアを通信ネットワーク回線を通じて一般需要家（２８）に公表するアイデア登録・公表段階（Ｓ６）と、アイデアを応募した登録会員に評価点に応じたポイント（ｐ）を付与するポイント付与段階（Ｓ８）と、登録会員が付与されたポイントを商品や各種サービスと交換するポイント利用段階（Ｓ１０）と、を備えたことを特徴とする。
【００１１】
請求項２に記載のアイデアの公募方法は、前記アイデア評価段階（Ｓ５）では、応募されたアイデア（Ｉ）に対して専門家（２４）によるコメント（ｃ）がさらになされ、前記アイデア登録・公表段階（Ｓ６）では、前記管理サーバ（２２）が該コメントをデータベースに登録するとともに該コメントを応募されたアイデアとともに公表する、ことを特徴とする。
【００１２】
請求項３に記載のアイデアの公募方法は、公表されたアイデア（Ｉ）を参照した一般需要家（２８）が該アイデアに投票を行う投票段階（Ｓ７）をさらに含み、前記ポイント付与段階（Ｓ８）では、アイデアを応募した登録会員（１２）に投票数に応じたポイント（ｐ）が加算される、ことを特徴とする。
【００１３】
請求項４に記載のアイデアの公募方法は、前記アイデア登録・公表段階（Ｓ６）で一般需要家（２８）に公表されるアイデア（Ｉ）には、専門家（２４）による評価点（Ｐ）および／または一般需要家による投票数が参照可能に付記される、ことを特徴とする。
【００１４】
請求項５に記載のアイデアの公募方法は、前記アイデア評価段階（Ｓ５）でのアイデア（Ｉ）に対する評価点（Ｐ）の付与は複数人の専門家（２４）によって行われ、前記ポイント付与段階（Ｓ８）で登録会員（１２）に与えられるポイント（ｐ）は評価点に応じたポイントの平均点とする、ことを特徴とする。
【００１５】
請求項６に記載のアイデアの公募方法は、応募されたアイデア（Ｉ）に評価点（Ｐ）を付与した専門家（２４）にポイント（ｐ）を付与する評価報奨段階（Ｓ９）をさらに含む、ことを特徴とする。
【００１６】
請求項７に記載のアイデアの公募方法は、前記アイデア評価段階（Ｓ５）では、専門家（２４）がアイデア（Ｉ）をカテゴリに分類し、前記アイデア登録・公表段階（Ｓ６）では、前記管理サーバ（２２）は分類されたアイデアをカテゴリごとに登録・公表する、ことを特徴とする。
【００１７】
請求項８に記載のアイデアの公募方法は、前記アイデア評価段階（Ｓ５）でのアイデア（Ｉ）のカテゴリの分類が複数人の専門家（２４）によって行われる場合であって、そのアイデアのカテゴリ分類が一致しない場合に、前記管理サーバ（２２）は、前記評価奨励段階（Ｓ９）で獲得したポイントの高い専門家の分類に従って前記アイデア登録・公表段階（Ｓ６）のアイデアの登録・公表を行う、ことを特徴とする。
【発明の効果】
【００１８】
請求項１に記載の発明によれば、エネルギ消費生活に関する専門家（ホームコンサルタント）が省エネ等に関するアイデアの一次的評価を行うため、アイデアに対して統一された基準で公平な評価を行うことが可能となる。また公表されるアイデアは専門家により篩いにかけられ、また、重複した内容の公表が回避されているため、一般需要家は分かりやすい形でアイデアを参照することができる。アイデアを参照した一般需要家がそのアイデアを実行することで、省エネ等が図られることになる。
さらにアイデアを応募した登録会員にはその有用性に応じて評価点が与えられ、登録会員は評価点に応じたポイントを商品や各種サービスに交換することができるため、インセンティブを与えられた登録会員は考案したアイデアを積極的に応募するよう努めることが期待される。
【００１９】
請求項２に記載の発明によれば、専門家によるコメントが加えられた形でアイデアが公表されるので、一般需要家はアイデアの有効性やより効率的な省エネ術等についての情報を分かりやすい形で参照してこれを実行することができる。
【００２０】
請求項３に記載の発明によれば、また、一般需要家が参照したアイデアに対して２次的評価である投票を行うため、電力会社等の管理サーバの管理者は応募された各アイデアに対する一般需要家の反応を観ることができる。
【００２１】
請求項４に記載の発明によれば、一般に公表されるアイデアに専門家の評価点や一般需要家の投票数を付記することで、後発の一般需要家はこれを参照していずれのアイデアが省エネ等に効果的なものであるかを容易に判断することができる。
【００２２】
請求項５に記載の発明によれば、応募されたアイデアに対する評価を複数人の専門家によって行うことで、より公平な評価が行われることになる。
【００２３】
請求項６に記載の発明によれば、評価を行った専門家にポイントを付与することで、専門家が積極的にアイデアの評価に参加するためのインセンティブを与えることができる。なお専門家に与えられたポイントは、アイデアを応募した登録会員と同様に商品等と交換するものができるものであっても良いし、給与等の査定に利用されるものであっても良い。
【００２４】
請求項７に記載の発明によれば、専門家が応募されたアイデアをカテゴリごとに分類して管理サーバに登録し、そのアイデアがカテゴリごとに公表されることで、アイデアを参照する一般需要家は必要とするアイデアにより迅速に到達することができる。すなわち一般需要家に利用しやすい形で省エネ術等のアイデアを提供することで、その省エネ等の活動をより一層促すことができるようになる。
【００２５】
請求項８に記載の発明によれば、複数の専門家によって行われたアイデアのカテゴリ分類が一致しない場合に、多くの評価を行い獲得したポイントの多い専門家のした分類を優先して採用することで、信頼性の高いカテゴリ分類が行われることになる。
【発明を実施するための最良の形態】
【００２６】
以下、本発明の好ましい実施形態を図面を参照して説明する。図１は、本発明のアイデアの公募方法を実施するためのシステムの全体構成を示した概念図である。
本発明のアイデアの公募方法を実施するためのアイデア公募システム１０は、エネルギ消費生活に関する専門家であるホームコンサルタント２４が所有するパーソナルコンピュータや携帯電話等の通信端末１４’と、登録会員１２から応募された省エネ等に関するアイデア（Ｉ）やホームコンサルタントのアイデアに対する評価・コメントや分類、アイデアを参照した一般需要家２８からの投票等を管理する管理センタ１８に設けられた管理サーバ２２と、予め管理サーバ２２に登録された登録会員１２が所有するパーソナルコンピュータ等の通信端末１４と、公表されたアイデアを参照するための一般需要家２８が所有するパーソナルコンピュータ等の通信端末１４”と、から構成されている。
ホームコンサルタント２４、登録会員１２、一般需要家２８の通信端末１４’、１４、１４”と管理センタ１８の管理サーバ２２は、通信ネットワーク回線１６を通じてインターネットに接続できるようになっており、夫々の装置の間ではインターネットプロトコル（ＴＣＰ／ＩＰ）を用いた情報の授受が行われる。
【００２７】
ホームコンサルタント２４、登録会員１２、一般需要家２８の通信端末１４’、１４、１４”は、キーボード、マウス等を使用して情報を入力するための入力装置と、中央演算処理装置により各種情報の処理を行う処理装置と、処理装置からの出力信号を可視的に表示する出力装置と、を有し、ホームページ閲覧機能および電子メール送受信機能を備えている。ホームコンサルタント２４、登録会員１２、一般需要家２８は、ウェブブラザやウェブメールを利用して通信端末１４’、１４、１４”から管理サーバ２２にアクセスし、管理サーバとの間で情報の授受を行う。
【００２８】
図２は管理サーバ２２の構成を示したブロック図である。
管理センタ１８は、登録会員１２およびホームコンサルタント２４を管理し、登録会員からのアイデア（Ｉ）の応募を受付け、これをホームコンサルタントに転送し、アイデアに対するホームコンサルタントの評価やコメント（ｃ）を記録し、有用なアイデアを一般需要家２８に公表し、アイデアに対する一般需要家からの投票を集計するための各種アプリケーション・プログラムを提供するアプリケーション・サービス・プロバイダである。
管理センタ１８に設けられた管理サーバ２２は、ｗｅｂ／メールサーバ１とデータベースサーバ４とから構成されている。各サーバは、入力装置、各種情報の処理を行う処理装置、出力装置とを有しており、ｗｅｂ／メールサーバ１は通信ネットワーク回線１６を通じてインターネットに常時接続し、データベースサーバ４はｗｅｂ／メールサーバと接続されてこれと相互にデータの授受を行う。
【００２９】
ｗｅｂ／メールサーバ１は、要求されたＵＲＬ（Uniform Resource Locator）の表示送信、登録会員１２がホームページ上から入力て応募したアイデアの受け付け、応募されたアイデアのホームコンサルタント２４への転送、アイデアに対するホームコンサルタントによる評価やコメントの受け付け、アイデアに対する一般需要家からの投票の受け付け等を行う受送信部２２と、送受信部２や後述のデータベースサーバ４との間でやり取りがされるデータの処理を行いホームページのページデータを作成する第１演算部３を有している。
【００３０】
データベースサーバ４は、ｗｅｂ／メールサーバ１の第１演算部３からの要求信号に対して必要な情報の検索や抽出、更新を行う第２演算部５と、各種情報を格納するデータベース記憶部６を有している。
第２演算部５は、第１演算部３からの要求信号に対して、登録会員１２の登録・検索・抽出・更新等を行う会員情報処理プログラム、応募されたアイデア（Ｉ）の登録・検索・抽出・更新等を行うアイデア情報処理プログラム、アイデアに対するホームコンサルタント２４の評価点Ｐやコメント（ｃ）、一般需要家２８による投票数などの登録・検索・抽出・更新等を行う評価情報処理プログラム、ポイントの商品への交換を行うポイント利用プログラム等を実行する。
データベース記憶部６には、ホームコンサルタント２４に関する情報が記録されたホームコンサルタントデータベース、登録会員に関する会員情報が格納された会員情報データベース、登録会員１２から応募されたアイデアやそのアイデアに対するホームコンサルタント２４のコメントなどのアイデア情報を記録するアイデア情報データベース、応募されたアイデアに対するホームコンサルタントによる評価およびアイデアに対する一般需要家２８からの投票数に関する評価情報を記録する評価情報データベース、ポイントを商品に交換するための商品群が格納された商品データベースが備えられており、アイデア情報および評価情報はアイデアを応募した登録会員の会員情報と関連付けられて記録される。
【００３１】
次にこのアイデア公募システムを用いたアイデアの公募方法について、図面を用いて説明する。図３は管理センタ１８、アイデア（Ｉ）を応募する登録会員１２、ホームコンサルタント２４、一般需要家２８の四者間の情報の授受を表したフローである。
【００３２】
［会員登録段階（Ｓ０）］
この段階は、省エネ等に関するアイデアを考案した需要家がそのアイデアを応募する前段階として、自己の保有する通信端末を用いて管理センタに会員登録を行う段階である。
省エネに関するアイデア（Ｉ）を考案した需要家は、アイデア情報を配信する会員として会員登録を行うためのページへのリンク先（ＵＲＬ）を入力して管理センタ１８の管理サーバ２２にアクセスする。管理サーバのｗｅｂ／メールサーバ１は、需要家の通信端末１４に会員登録画面のページデータを送信し、需要家は画面に表示された案内に従って利用規約に同意し、氏名、住所、電話番号、電子メールアドレスなどの個人情報を入力する。入力された氏名等の所定事項は、データベースサーバ４の第２演算部５の会員情報処理プログラムにより処理された後に、会員情報データベースに格納される。
最後に会員登録が完了した旨を伝えるページデータがｗｅｂ／メールサーバ１から需要家（登録会員１２）に送信され、これが登録会員１２の通信端末１４の画面に表示されるとともに、電子メールにより登録会員１２にＩＤとパスワードが発行される。この電子メールにはアイデア（Ｉ）を応募するために用意されたホームページのＵＲＬがハイパーリンク形式で記載されている。なおＩＤおよびパスワードも会員情報データベースに格納される。
【００３３】
［ログイン段階（Ｓ１）］
この段階は、省エネ等に関するアイデアを考案した登録会員がそのアイデアを応募するために、管理センタの管理サーバにログインする段階である。
アイデア（Ｉ）を考案した登録会員１２は、ＩＤおよびパスワード発行時に受信した電子メールに記載されたＵＲＬをクリックして管理センタ１８の管理サーバ２２にアクセスし、画面に表示されるＩＤおよびパスワードの入力の求めに対して発行されたＩＤおよびパスワードを入力しこれを送信する。
送受信部２によりＩＤおよびパスワードを受信したｗｅｂ／メールサーバ１は、第１演算部３からデータベースサーバ４の第２演算部５にその情報を送り、第２演算部は会員情報データベースに格納された会員情報と受け取ったＩＤおよびパスワードとを照合して、これらが一致する場合には管理サーバへのログインを許可する。
【００３４】
［入力画面送信段階（Ｓ２）］
この段階は、登録会員を特定した管理センタの管理サーバがアイデアを入力するためのページを登録会員の通信端末に表示させる段階である。
上記ログイン段階で入力されたＩＤおよびパスワードから登録会員を特定したデータベースサーバ４は、その旨をｗｅｂ／メールサーバ１に送り、ｗｅｂ／メールサーバの送受信部２はアイデア応募用に用意したホームページのページデータを送信する。ページデータを受信した登録会員１２の通信端末１４は、画面上にアイデア応募用ページを表示する。
【００３５】
［アイデア応募段階（Ｓ３）］
この段階は、登録会員が表示されたアイデア応募用ページに考案したアイデアを入力して管理サーバに送信する段階である。
アイデアの応募を行う登録会員１２は、上記入力画面送信段階で表示されたアイデア応募用ページに設けられたアイデア記入欄に応募しようとするアイデアのタイトルとアイデア（Ｉ）を文字入力し、同じページに設けられている「応募」ボタンを押すことでデータ送信し、管理サーバ２２にアイデア（Ｉ）を応募する。
管理サーバ２２のｗｅｂ／メールサーバ１の送受信部２はそのデータを受信し、これを第１演算部３を経てデータベースサーバ４に送る。データベースサーバの第２演算部５は、アイデア情報処理プログラムを実行して募集されたアイデア（Ｉ）に管理番号を付与した上で、会員情報と関連付けた状態でアイデア情報データベースにこれを記録する。
【００３６】
［アイデア転送段階（Ｓ４）］
この段階は、管理サーバが受信したアイデアをホームコンサルタントに転送する段階である。
データベースサーバ４の第２演算部５は、ホームコンサルタントデータベースに登録されているホームコンサルタント２４の中から応募されたアイデア（Ｉ）の評価を行う者を選択し、そのホームコンサルタント２４のメールアドレスとアイデア情報データベースに記録されたアイデア（Ｉ）とをセットにして第１演算部３に送る。第１演算部３は、そのアイデア（Ｉ）が記載され、またホームコンサルタント２４による評価（既出のアイデアであるか否かの判断も含む）およびコメント（ｃ）の記入欄を設けた評価用ページを作成し一時的に保存するとともに、その評価用ページのリンク先（ＵＲＬ）を記載した評価依頼の電子メールを選択したホームコンサルタント２４に送信する。なおデータベースサーバ４によるホームコンサルタントの選択は、ランダムに行われる。またアイデアの評価は複数のホームコンサルタントによって行われるものとすることもでき、この場合には当然に複数のホームコンサルタントが選択される。
【００３７】
［アイデア評価段階（Ｓ５）］
この段階は、ホームコンサルタントが応募されたアイデアが未登録のものであるかを判断し、未登録である場合にはそのアイデアに対して評価点を与える段階である。
上記アイデア転送段階で送信された評価依頼の電子メールを受信したホームコンサルタント２４は、電子メールに記載されているリンク先をクリックして管理センタ１８の管理サーバ２２にアクセスし、予め与えられているＩＤおよびパスワードを用いてログインする。管理サーバ２２のｗｅｂ／メールサーバ１は入力されたＩＤおよびパスワードを確認し、ホームコンサルタント２４の通信端末１４に応募されたアイデア（Ｉ）を記載したホームページのページデータを送信する。
次にホームコンサルタント２４は、ホームページに記載されたアイデア（Ｉ）を参照し、そのアイデアが既出（登録済み）のアイデアであるかどうか、広く一般に公開する有効性があるかどうかを判断し、新規かつ有効性のあるアイデアであると判断した場合には、そのアイデアに対して評価点Ｐを与えるとともに、アイデアに対する講評や追加のアイデア等のコメント（ｃ）を付加した評価情報を管理センタ１８に送信する。ここでアイデアの評価を行うホームコンサルタント２４は、社内教育等によりその評価の基準が統一されているため、ホームコンサルタント毎に評価に大きな差がでることはない。なおアイデアが既出（登録済み）のものである場合や、広く一般に公開する有効性がない場合には、既出のアイデアである旨又は有効性がない旨を表明して、これを管理センタ１８に送信する。またホームコンサルタント２４は参照したアイデアを予め設定されたカテゴリに分類して（アイデアを記載したホームページに記載されたカテゴリのチェックボックスにチェックを入れる）、その分類も管理センタに送信する。
ここで本段階のアイデアに対する評価点Ｐの付与は複数人のホームコンサルタントによって行うものとすることもできる。
【００３８】
［アイデア登録・公表段階（Ｓ６）］
この段階は、管理サーバが受信したアイデアをデータベースに登録するとともにアイデアを一般需要家に公表する段階である。
管理サーバ２２のｗｅｂ／メールサーバ１は、送受信部２により上記アイデア評価段階でホームコンサルタント２４による評価点Ｐ、アイデアに対する講評や追加のアイデア等の評価情報を受信し、第１演算部３はホームコンサルタントが送信したデータからアイデア応募段階でアイデアごとに付与された管理番号を読み取り、この管理番号とともにホームコンサルタントによる評価情報をデータベースサーバの第２演算部５に送る。
第２演算部５ではアイデア情報処理プログラムおよび評価情報処理プログラム実行して、応募されたアイデアに対するホームコンサルタント２４による評価点Ｐを、応募者である登録会員１２の登録会員情報と関連付けてこれを評価情報データベースに記録するとともに、アイデアに対する講評・コメントや追加のアイデアを登録会員情報と関連付け、かつ、カテゴリを分類した上で、アイデア情報データベースに記録する。ここで複数人のホームコンサルタント２４によって評価点Ｐが付与される場合には、各ホームコンサルタントの付与した評価点Ｐがそれぞれ評価情報データベースに記録される。またホームコンサルタント２４によるアイデアのカテゴリの分類が相違する場合には、後述する奨励段階で獲得したポイントｐの高いホームコンサルタントが行ったカテゴリ分類に従ってアイデアの登録が行われるものとする。
なお応募されたアイデアが既出（登録済み）のものである場合や、広く一般に公開する有効性がない場合には、ｗｅｂ／メールサーバ１はその旨を記載した電子メールを作成してアイデアを応募した登録会員１２にこれを送信する。またデータベースサーバ４の第２演算部５は、アイデア情報処理プログラムを実行してアイデア情報データベースに一時的に記録したアイデアの消去を行う。
また管理サーバ２２はアイデア情報データベースおよび評価情報データベースに記録されたアイデア（Ｉ）とそれに対するホームコンサルタント２４の評価点Ｐ、講評・コメントや追加のアイデア等を一般の需要家にインターネットを利用して公開する。
具体的には、ｗｅｂ／メールサーバ１は一般の需要家からのＵＲＬを指定したアクセスに対してアイデアを検索するためのホームページのページデータを送信する。アイデア検索用のホームページを参照した一般需要家２８は、検索キーワードの入力やカテゴリ分類の選択を行うことで、入手したいアイデアの検索を行う。一般需要家２８の検索キーワードの入力やカテゴリ分類の選択を受信した管理サーバ２２は、データベースサーバ４のアイデア情報処理プログラムを実行することで該当するアイデアの抽出を行い、そのタイトルおよびそのアイデアの評価点Ｐ（平均点）、後述する一般需要家２８による投票数を記載したアイデア一覧をｗｅｂ／メールサーバ１に送り、ｗｅｂ／メールサーバ１はそのアイデア一覧を記載したホームページのページデータを作成してこれを検索を行った一般需要家に送信する。アイデア一覧を受信した一般需要家２８はアイデアのタイトルやこれに付記された評価点Ｐ、一般需要家２８による投票数を参考に参照したいアイデアを選択し、管理サーバ２２は選択されたアイデアの応募内容やホームコンサルタント２４による評価点Ｐ（平均点）、講評・コメントや追加のアイデアなどより詳細な情報を提供する。
【００３９】
［投票段階（Ｓ７）］
この段階は、公表されたアイデアを参照した一般需要家が、参照したアイデアに対して投票を行う段階である。
上記アイデア登録・公表段階で応募されたアイデア（Ｉ）を参照した一般需要家２８は、そのアイデアが良いものであると判断した場合には、同じページに設けられている投票ボタンを押すことでそのアイデアに投票を行う。アイデアの投票を受信した管理サーバ２２は、第２演算部５で評価情報処理プログラムを実行し、一般需要家による投票数の総計を評価情報データベースに記録する。この投票数の合計は上述のようにアイデア一覧に記載される。
【００４０】
［ポイント付与段階（Ｓ８）］
この段階はアイデアを応募した登録会員に評価点に応じたポイント等を付与する段階である。
管理サーバ２２のデータベースサーバ４の第２演算部５は評価情報処理プログラム実行して、評価情報データベースに格納した登録会員１２ごとの評価点Ｐの合計をポイントｐに換算する。例えば、評価点Ｐ１点につき１０ポイントをその登録会員１２に付与する。
また第２演算部５はアイデアを応募した登録会員１２に対して、上記投票段階でアイデアを参照した一般需要家２８によって行われた投票数に応じたポイントｐを、上記評価点Ｐに応じたポイントに付与して加算する。例えば１投票につき１ポイントが付与されるものとする。
評価点Ｐおよび投票数に応じて登録会員１２に与えられたポイントの総計は、第２演算部５の処理によって登録会員１２ごとに会員情報データベースに記録される。
【００４１】
［評価報奨段階（Ｓ９）］
この段階は、応募されたアイデアに評価点を付与したホームコンサルタントにポイントを付与する段階である。
管理サーバ２２のデータベースサーバ４の第２演算部５は評価情報処理プログラム実行して、上記アイデア転送段階でホームコンサルタントデータベースの中から選択され、応募されたアイデア（Ｉ）の評価を行ったホームコンサルタント２４に対し、ポイントを付与する。このポイントｐは例えば、ホームコンサルタント２４がアイデア（Ｉ）に対して講評や追加のアイデアをした場合に、１件につき５０ポイントが付与されるものとする。各ホームコンサルタント２４が獲得したポイントの合計は、第２演算部５の処理によってホームコンサルタントごとにホームコンサルタントデータベースに記録される。
本段階でホームコンサルタント２４に付与されたポイントｐは、ホームコンサルタント２４の給与・賞与の査定等の参考資料とされる他、後述するポイント利用段階での登録会員によるポイントと同様に商品と交換できるものとしてもよい。
【００４２】
［ポイント利用段階（Ｓ１０）］
この段階は、登録会員が付与されたポイントを商品と交換する段階である。
獲得したポイントｐを商品と交換しようとする登録会員１２は、ポイント利用のために予め用意されたホームページにＩＤおよびパスワードを用いてアクセスする。管理サーバ２２のｗｅｂ／メールサーバ１はデータベースサーバ４に連絡することでアクセスした登録会員１２を特定し、要求されたホームページのページデータをその登録会員に送信する。登録会員１２は画面上に表示された商品群（商品データベースに格納されている）の中からポイントとの交換を希望する商品を選択し、これを管理サーバ２２に送信する。なお、商品群の各商品には交換に必要とされるポイント数が予め定められており、登録会員１２は獲得したポイントｐの総計の範囲内でポイントを商品に交換することができる。
登録会員１２からの商品選択を受信した管理サーバ２２のｗｅｂ／メールサーバ１は、データベースサーバ４にその情報を送り、第２演算部５は会員情報データベースに記録されたポイント数（総計）から商品交換に用いられたポイント分を差し引き、残りのポイント数を再び会員情報データベースに更新して記録する。
なお、ポイントｐは商品との交換の他に各種サービス（割引）や金銭との交換ができるものとしてもよい。
【００４３】
以上説明したように、本発明のアイデアの公募方法によれば、通信ネットワークを利用して登録会員１２から省エネに関するアイデア（Ｉ）を募り、優れたアイデアには金銭的価値のあるポイントを付与することとしたので、インセンティブを与えられた登録会員は考案したアイデアを積極的に応募することが期待される。また応募されたアイデアは専門家（ホームコンサルタント）によって重複するアイデアや有効性のないアイデアの公表が回避され、また専門家による公平な評価や適宜講評・コメントのアイデアの追加がなされているため、一般需要家は公開されたアイデアを分かりやすい形で参照することができる。したがってアイデアを参照した需要家がそのアイデアを実行することで、省エネが図られることになる。
【００４４】
なお本発明のアイデアの公募方法は、発明の趣旨を逸脱しない範囲で適宜変更することができるのは勿論である。
【産業上の利用可能性】
【００４５】
本発明は主として省エネに関するアイデアを公募することを主目的としたものであるが、有効なアイデアを効率的に募集し、分かりやすい形で一般需要家に公開するものであればこれに限られず、一般生活のため知恵や科学・技術に関するアイデアの公募などにも適用することが可能である。
【図面の簡単な説明】
【００４６】
【図１】本発明に使用される節約術情報配信システムの全体構成を示したイメージ図である。
【図２】本発明に使用される管理サーバの構成を示したブロック図である。
【図３】第１実施例における登録会員、管理センタ、一般需要家、ホームコンサルタントの四者間の情報の授受を表したフローである。
【符号の説明】
【００４７】
１    ｗｅｂ／メールサーバ
２    受送信部
３    第１演算部
４    データベースサーバ
５    第２演算部
６    データベース記憶部
１０  アイデア公募システム
１２  登録会員
１４  通信端末（登録会員）
１４’通信端末（専門家）
１４”通信端末（一般需要家）
１６  通信ネットワーク回線
１８  管理センタ
２２  管理サーバ
２４  専門家（ホームコンサルタント）
２８  一般需要家
Ｐ    評価点
ｐ    ポイント
Ｉ    アイデア
ｃ    コメント
Ｓ１  ログイン段階
Ｓ２  入力画面送信段階
Ｓ３  アイデア応募段階
Ｓ４  アイデア転送段階
Ｓ５  アイデア評価段階
Ｓ６  アイデア登録・公表段階
Ｓ７  投票段階
Ｓ８  ポイント付与段階
Ｓ９  評価報奨段階
Ｓ１０  ポイント利用段階
【図１】
2006113702.tif 000003
【図２】
2006113702.tif 000004
【図３】
2006113702.tif 000005